(57)【要約】【課題】プリンタのコストを低いものとする。【解決手段】実施形態のプリンタ１０は、ロール紙から取り出された連続紙Ｓを搬送するローラ１５ｂと、連続紙Ｓの終端の通過に連動して回転する可動部１８と、可動部１８の回転軸と平行に配置された基板１４と、を備える。基板１４には、可動部１８の端部１８ａを検出するセンサー１４ａが実装されている。プリンタ１０は、センサー１４ａと基板１４とを繋ぐ接続線が必要ないので、プリンタ１０のコストを低いものとすることができる。【選択図】図７
2018118397.tif 000002
【特許請求の範囲】
【請求項１】
ロール紙から取り出された用紙を搬送する搬送手段と、
前記用紙の終端の通過に連動して回転する可動部と、
前記可動部の回転軸と平行に配置された基板と、を備え、
前記基板には、前記可動部の端部を検出するセンサーが実装されている、
プリンタ。
【請求項２】
ロール紙ホルダーを覆うカバーと、
前記カバーのオープンに連動して回転する可動部と、
前記可動部の回転軸と平行に配置された基板と、を備え、
前記基板には、前記可動部の端部を検出するセンサーが実装されている、
プリンタ。
【請求項３】
ロール紙ホルダーを覆うカバーと、
ロール紙から取り出された用紙を搬送する搬送部と、
前記用紙の終端の通過に連動して回転する第１の可動部と、
前記第１の可動部の回転軸と同一方向の回転軸を有し、前記カバーのオープンに連動して回転する第２の可動部と、
前記第１の可動部の回転軸及び前記第２の可動部の回転軸と平行に配置された基板と、を備え、
前記基板には、前記第１の可動部の端部を検出する第１のセンサーと、前記第２の可動部の端部を検出する第２のセンサーと、が実装されている、
プリンタ。
【請求項４】
前記第１の可動部と前記第２の可動部は同じシャフトに回動可能に固定されている、
請求項３に記載のプリンタ。
【請求項５】
前記第１のセンサーは、第１の発光部と第１の受光部とが対向配置されたフォトインタラプタであり、
前記第２のセンサーは、第２の発光部と第２の受光部とが対向配置されたフォトインタラプタであり、
前記第１の可動部の端部は、前記第１の可動部の回転の一状態で前記第１の発光部と前記第１の受光部との間に位置するよう構成されており、回転に伴って前記第１の発光部と前記第１の受光部との間から離れるよう構成されており、
前記第２の可動部の端部は、前記第２の可動部の回転の一状態で前記第２の発光部と前記第２の受光部との間に位置するよう構成されており、回転に伴って前記第２の発光部と前記第２の受光部との間から離れるよう構成されており、
前記第１のセンサーは、前記第１の可動部の端部が前記第１の発光部と前記第１の受光部との間に位置しているか否かに基づいて、前記用紙の終端を検出し、
前記第２のセンサーは、前記第２の可動部の端部が前記第２の発光部と前記第２の受光部との間に位置しているか否かに基づいて、前記カバーのオープンを検出する、
請求項３又は４に記載のプリンタ。
【発明の詳細な説明】
【技術分野】
【０００１】
本発明の実施形態は、プリンタに関する。
【背景技術】
【０００２】
商品情報処理装置（例えば、ＰＯＳ端末）は、多くの場合、ロール紙から取り出された用紙に情報を印刷するプリンタ（例えば、レシートプリンタ、ジャーナルプリンタ）を備える。この種のプリンタは、多くの場合、プリンタの状態を検出するための各種センサーを備える。例えば、プリンタは、トップカバーが開放されたか否かを検出するセンサー（以下、オープンセンサーという。）及び、ロール紙から取り出される用紙の終端を検出するセンサー（以下、ペーパエンドセンサーという。）を備える。
【先行技術文献】
【特許文献】
【０００３】
【特許文献１】特開平１１−４８５０７号公報
【特許文献２】特開２０１１−１６１８１７号公報
【特許文献３】特開２０００−１０３１００号公報
【発明の概要】
【発明が解決しようとする課題】
【０００４】
一般的に、プリンタは、印刷処理等を行う基板（例えば、メインボード）を備える。上述のセンサーは、多くの場合、基板から離れた場所に配置される。例えば、オープンセンサーは、トップカバー付近に配置され、ペーパエンドセンサーは用紙搬送路付近に配置される。この場合、プリンタは、センサーと基板とを繋ぐ接続線（例えば、ワイヤーハーネス）を備えなければならず、コストが高くなる。
【０００５】
本発明が解決しようとする課題は、プリンタのコストを低いものとすることである。
【課題を解決するための手段】
【０００６】
実施形態のプリンタは、ロール紙から取り出された用紙を搬送する搬送手段と、用紙の終端の通過に連動して回転する可動部と、可動部の回転軸と平行に配置された基板と、を備える。基板には、可動部の端部を検出するセンサーが実装されている。
【０００７】
また、他の実施形態のプリンタは、ロール紙ホルダーを覆うカバーと、カバーのオープンに連動して回転する可動部と、可動部の回転軸と平行に配置された基板と、を備える。基板には、可動部の端部を検出するセンサーが実装されている。
【図面の簡単な説明】
【０００８】
【図１】実施形態のプリンタを備える商品情報処理装置を示す斜視図である。
【図２】実施形態のプリンタの斜視図である。
【図３】実施形態のプリンタのブロック図である。
【図４】実施形態のプリンタの内部構造を示す断面図である。
【図５】実施形態のプリンタが備えるエンジンブロックの一部を示す斜視図である。
【図６】実施形態のプリンタが備える第１の可動部及び第２の可動部の平面図である。
【図７】用紙が搬送路を通過しているときの第１の可動部の状態を示す図である。
【図８】用紙の終端を検出したときの第１の可動部の状態を示す図である。
【図９】カバーが閉まっているときの第２の可動部の状態を示す図である。
【図１０】カバーオープンを検出したときの第２の可動部の状態を示す図である。
【発明を実施するための形態】
【０００９】
以下、発明を実施するための形態について図面を参照しながら説明する。なお、図中、同一または同等の部分には同一の符号を付す。
【００１０】
図１は、実施形態のプリンタ１０を備える商品情報処理装置１を示す斜視図である。商品情報処理装置１は、例えば、ＰＯＳ（Point of sales）端末である。商品情報処理装置１は、各ストアに設置され、オペレータによって操作される。商品情報処理装置１は不図示のストアサーバ（ＰＯＳサーバ）とネットワークを介して接続されている。プリンタ１０は商品情報処理装置１に固定或いは内蔵されている。
【００１１】
なお、以下の説明には、Ｘ軸、Ｙ軸、及びＺ軸から構成される直交座標系を用いる。図中、矢印の指し示す方向がプラス方向である。Ｘ軸プラス方向が右方向であり、Ｘ軸マイナス方向が左方向である。また、Ｙ軸プラス方向が背面方向（後側）であり、Ｙ軸マイナス方向が正面方向（前側）である。また、Ｚ軸プラス方向が上方向であり、Ｚ軸マイナス方向が下方向である。正面とはオペレータが位置する側のことである。図１の例であれば、正面は白抜き矢印の方向である。
【００１２】
図２は、商品情報処理装置１からプリンタ１０を取り出したものである。プリンタ１０は、レシートを発行するためのレシートプリンタである。プリンタ１０は、上部にロール紙ホルダーＨを覆うカバー２１を備え、ロール紙ホルダーＨにロール紙ＰＲを格納可能である。ロール紙ＰＲは、連続紙Ｓが巻き回されたロール状の印字媒体である。連続紙Ｓは、帯状の用紙である。プリンタ１０は、ロール紙ＰＲから連続紙Ｓを取り出し、取引明細等の情報を印刷する。プリンタ１０は、連続紙Ｓを排出するための排出口２０を備える。なお、図１及び図２に示した外観はあくまで一例であり、様々な変形が可能である。
【００１３】
図３は、プリンタ１０のブロック図である。プリンタ１０は、制御部１１と、通信インタフェース１２と、出力部１３と、基板１４と、印刷部１５と、カット部１６と、検出機構１７と、を備える。
【００１４】
制御部１１は、プロセッサ、ＦＰＧＡ（Field Programmable Gate Array）等の処理装置である。制御部１１は、プリンタ１０の各部を制御する制御装置として機能する。制御部１１は、例えば、基板１４に配置されている。制御部１１は、基板１４に実装されているセンサーからの信号に基づいて、プリンタ１０の状態を検出する。例えば、制御部１１は、カバー２１が開いているか否か、プリンタ１０が紙切れとなっているか否か、等を検出する。
【００１５】
通信インタフェース１２は、商品情報処理装置１の制御装置（例えば、プロセッサ）と通信する通信インタフェースである。通信インタフェース１２は、商品情報処理装置１から各種データを取得する。例えば、通信インタフェース１２は、商品情報処理装置１から、印刷部１５が連続紙Ｓに印刷する情報（例えば、取引明細の情報）を取得する。
【００１６】
出力部１３は、ユーザに情報を通知するための出力装置である。出力部１３は、例えば、スピーカー、ブザー等の音響発生装置、或いはＬＥＤ（Light Emitting Diode）ランプ等の点灯装置である。勿論、出力部１３は音響発生装置及び点灯装置に限定されない。例えば、出力部１３は、液晶ディスプレイ（Liquid Crystal Display）、有機ＥＬディスプレイ(Organic Electroluminescence Display)等の表示装置であってもよい。出力部１３は、ユーザに対し、プリンタ１０の状態に応じた各種出力をする。例えば、出力部１３は、カバー２１のオープンが検知されたら、ブザー音を出力する。また、出力部１３は、ロール紙ＰＲの紙切れが検知されたらランプを点灯する。
【００１７】
図４は、プリンタ１０の内部構造を示す断面図である。プリンタ１０は、ロール紙ＰＲが着脱可能に構成されている。ロール紙ＰＲから取り出された連続紙Ｓは、印刷部１５で情報が印刷される。そして、連続紙Ｓは、カット部１６でカットされて排出口２０から排出される。
【００１８】
基板１４は、プリンタ１０の各種処理を実行するメインボードである。基板１４は、シャフト１７ａと平行に配置されている。図４の例では、シャフト１７ａは、その軸方向がＸ軸方向と一致するように配置されている。また、基板１４はその平面をＹ軸方向に向けて配置されている。基板１４には各種センサーが実装されている。シャフト１７ａ、及びセンサーについては後述する。
【００１９】
印刷部１５は、連続紙Ｓに取引明細等の各種情報を印字する印刷ユニットである。印刷部１５は、サーマル方式のプリントユニットである。印刷部１５は、プリントヘッド１５ａと、ローラ１５ｂと、を備える。プリントヘッド１５ａはサーマルヘッドであり、ローラ１５ｂはプラテンローラである。ローラ１５ｂは、用紙Ｓを搬送する搬送部（搬送手段）としても機能する。印刷部１５は、制御部１１の制御に従って取引明細等の情報を連続紙Ｓに印字する。
【００２０】
カット部１６は、連続紙Ｓから印刷完了部分（例えば、レシートとなる部分）を切り離すためのカッターである。カット部１６は、スライド式カッターであってもよいし、ローラ式カッターであってもよい。図４には、カット部１６の一例として、スライド式カッターが示されている。カット部１６は、可動刃１６ｂと、固定刃１６ａと、を備える。可動刃１６ｂは、可動刃１６ｂをスライドさせる可動刃スライド機構１６ｃに固定されている。固定刃１６ａは、エンジンブロック１００の上部に固定されている。
【００２１】
エンジンブロック１００は、プリンタ１０の印刷を担うアッシー（ASSY）である。図５は、エンジンブロック１００の一部を示す斜視図である。図５には図示が省略されているが、フラットケーブル１０４の先端にはプリントヘッド１５ａが接続される。
【００２２】
エンジンブロック１００は、プリンタ１０の各パーツを配置するための筐体を備える。筐体は、金属板１０１〜１０３で構成されている。金属板１０１〜１０３は、鉄、アルミ等の剛性の高い金属で構成される。金属板１０１は、Ｙ軸方向にその平面を向けた状態で配置されている。金属板１０２は、Ｘ軸方向にその平面を向けた状態で配置されている。金属板１０３は、Ｘ軸方向にその平面を向けた状態で配置されている。金属板１０２は、金属板１０１のＸ軸プラス方向側端部に位置しており、金属板１０３は、金属板１０１のＸ軸マイナス方向側端部に位置している。金属板１０１の上部には、固定刃１６ａが配置されている。
【００２３】
検出機構１７は、ペーパーエンド及びカバーオープンの検出のための機構である。ここでペーパーエンドとはプリンタ１０が紙切れとなっていることをいう。また、カバーオープンとはカバー２１が開かれていることをいう。図６は、検出機構１７及を上方（Ｚ軸プラス方向側）から見た図である。検出機構１７は、シャフト１７ａと、可動部１８と、可動部１９と、を備える。
【００２４】
シャフト１７ａは、可動部１８及び可動部１９を支持するためのシャフトである。シャフト１７ａは、可動部１８及び可動部１９の回転軸（rotary axis）となる位置に配置されている。シャフト１７ａは、軸方向をＸ軸方向として、金属板１０２に固定されている。シャフト１７ａは、金属板１０２からＸ軸マイナス方向に延びている。シャフト１７ａは、例えば、ピボットスタッドである。本実施形態の場合、シャフト１７ａは、金属板１０２に対して回転不能な状態で固定されている。シャフト１７ａには、可動部１８と可動部１９とが回動可能に固定されている。そのため、可動部１８の回転軸と可動部１９の回転軸は、同一である。
【００２５】
可動部１８は、ペーパーエンド検出のために使用される部材である。可動部１８は、プリンタ１０の第１の可動部として機能する。可動部１８は上方から見てＬ字形をしている。可動部１８の一方の端部１８ａは、金属板１０１に設けられた開口１０１ａを通って、基板１４の表面付近に位置する。例えば、端部１８ａは、基板１４に最接近の状態で基板１４のＹ軸プラス方向側表面から１ｍｍ〜１ｃｍの距離に位置する。また、可動部１８の他方の端部には、上方（Ｚ軸プラス方向）向けて突出する突出部１８ｂが設けられている。
【００２６】
基板１４には、端部１８ａを検出するセンサー１４ａが実装されている。センサー１４ａは、プリンタ１０の第１のセンサーとして機能する。センサー１４ａは、例えば、発光部１４ａ１と受光部１４ａ２とが対向配置されたフォトインタラプタである。発光部１４ａ１は、プリンタ１０の第１の発光部として機能し、受光部１４ａ２は、プリンタ１０の第１の受光部として機能する。可動部１８の固定位置は、回転の一状態で、端部１８ａが発光部１４ａ１と受光部１４ａ２との間に位置するよう調整されている。センサー１４ａは、端部１８ａによって発光部１４ａ１の光が遮られたか否かにより、ペーパーエンドを検出する。ペーパーエンド検出動作については後述する。
【００２７】
可動部１９は、カバーオープン検出のために使用される部材である。可動部１９は、プリンタ１０の第２の可動部として機能する。可動部１９は上方から見てＬ字形をしている。可動部１９の一方の端部１９ａは、金属板１０１に設けられた開口１０１ａを通って、基板１４の表面付近に位置する。例えば、端部１９ａは、基板１４に最接近の状態で基板１４のＹ軸プラス方向側表面から１ｍｍ〜１ｃｍの距離に位置する。また、可動部１９の他方の端部は、金属板１０２に設けられた開口１０２ａを通って、金属板１０２のＸ軸プラス方向に突出している。他方の端部には、上方（Ｚ軸プラス方向）向けて突出する突出部１９ｂが設けられている。
【００２８】
基板１４には、端部１９ａを検出するセンサー１４ｂが実装されている。センサー１４ｂは、プリンタ１０の第２のセンサーとして機能する。センサー１４ｂは、例えば、発光部１４ｂ１と受光部１４ｂ２とが対向配置されたフォトインタラプタである。発光部１４ｂ１は、プリンタ１０の第２の発光部として機能し、受光部１４ｂ２は、プリンタ１０の第２の受光部として機能する。可動部１９の固定位置は、回転の一状態で、端部１９ａが発光部１４ｂ１と受光部１４ｂ２との間に位置するよう調整されている。センサー１４ｂは、端部１９ａによって発光部１４ｂ１の光が遮られたか否かにより、カバーオープンされたか否かを検出する。カバーオープン検出動作については後述する。
【００２９】
次に、このような構成を有するプリンタ１０の動作について説明する。
【００３０】
プリンタ１０の動作は、ペーパーエンドの検出動作と、カバーオープンの検出動作と、に分けられる。最初に、ペーパーエンドの検出動作について説明する。ペーパーエンドとは、連続紙Ｓの終端のことである。
【００３１】
図７は、ペーパーエンド非検出時（通常動作時）の可動部１８の状態を示す図である。ロール紙ＰＲから取り出された連続紙Ｓは、搬送路を通って排出口２０から排出される。可動部１８は、シャフト１７ａを中心に図面反時計回りに回転力が付勢されている。回転力は、バネ力であってもよいし、ゴム等の弾性部材によってもたらされる弾性力であってもよい。可動部１８は、突出部１８ｂが連続紙Ｓの搬送路に位置するよう、その位置が調整されている。
【００３２】
通常動作時、可動部１８は、突出部１８ｂが連続紙Ｓに押されることによって、図面時計回りに僅かに回転した状態でその位置を保っている。この状態では、可動部１８の端部１８ａは、発光部１４ａ１と受光部１４ａ２との間に位置する。そのため、発光部１４ａ１の光は端部１８ａで遮られ、受光部１４ａ２は光を検知しない。センサー１４ａは、端部１８ａを検知したと判別し、その旨を制御部１１に通知する。センサー１４ａは、一定時間毎（例えば、０．５秒毎）に端部１８ａが検知されていることを制御部１１に通知してもよい。
【００３３】
図８は、ペーパーエンド検出時（用紙切れ時）の可動部１８の状態を示す図である。突出部１８ｂの先端位置を連続紙Ｓの終端Ｅが通過すると、可動部１８は付勢力によってシャフト１７ａを中心に図面反時計回に回転する。そうすると、可動部１８の端部１８ａは、発光部１４ａ１と受光部１４ａ２との間から離脱する。こうなると、端部１８ａによって遮られていた発光部１４ａ１の光は受光部１４ａ２によって検知される。センサー１４ａは、端部１８ａが検知されなくなったと判別し、その旨を制御部１１に通知する。
【００３４】
制御部１１は、センサー１４ａから端部１８ａの非検知を通知されたら、プリンタ１０が紙切れとなったと判別する。そして、制御部１１は、その旨を出力部１３に出力する。例えば、制御部１１は、ＬＥＤランプを点灯或いは点滅させる。
【００３５】
次に、カバーオープンの検出動作について説明する。
【００３６】
図９は、カバーオープン非検出時（カバークローズ時）の可動部１９の状態を示す図である。可動部１９は、シャフト１７ａを中心に図面反時計回りに回転力が付勢されている。回転力は、バネ力であってもよいし、ゴム等の弾性部材によってもたらされる弾性力であってもよい。
【００３７】
カバー２１には、下方（Ｚ軸マイナス方向）に向けて突出する突出部２１ａが設けられている。カバークローズ時、可動部１９は、突出部１９ｂが突出部２１ａに押されることによって、図面時計回りに僅かに回転した状態でその位置を保っている。この状態では、可動部１９の端部１９ａは、発光部１４ｂ１と受光部１４ｂ２との間に位置する。そのため、発光部１４ｂ１の光は端部１９ａで遮られ、受光部１４ｂ２は光を検知しない。センサー１４ｂは、端部１９ａを検知したと判別し、その旨を制御部１１に通知する。センサー１４ｂは、一定時間毎（例えば、０．５秒毎）に端部１９ａが検知されていることを制御部１１に通知してもよい。
【００３８】
図１０は、カバーオープン検出時の可動部１９の状態を示す図である。カバー２１がオープンされると、可動部１９は付勢力によってシャフト１７ａを中心に図面反時計回に回転する。そうすると、可動部１９の端部１９ａは、発光部１４ｂ１と受光部１４ｂ２との間から離脱する。こうなると、端部１８ａによって遮られていた発光部１４ａ１の光は受光部１４ａ２によって検知される。センサー１４ｂは、端部１９ａが検知されなくなったと判別し、その旨を制御部１１に通知する。
【００３９】
制御部１１は、センサー１４ｂから端部１９ａの非検知を通知されたら、プリンタ１０のカバー２１がオープンされた判別する。そして、制御部１１は、その旨を出力部１３に出力する。例えば、制御部１１は、ブザー音を出力する。
【００４０】
本実施形態によれば、ペーパーエンドを検知するセンサー１４ａが連続紙Ｓの搬送路ではなく、基板１４に実装されている。また、カバーオープンを検知するセンサー１４ｂが、カバー２１付近ではなく、基板１４に実装されている。そのため、プリンタ１０は、センサーと基板とを繋ぐ接続線が必要ないので、コストが低くなる。
【００４１】
また、ペーパーエンド検出のための可動部１８と、カバーオープン検出のための可動部１９が同じシャフトに固定されている。ペーパーエンド及びカバーオープンの検出に使用される機構部分をコンパクトなものとなるで、プリンタ１０はコストが低くなる。
【００４２】
上述の各実施形態はそれぞれ一例を示したものであり、種々の変更及び応用が可能である。
【００４３】
例えば、上述の実施形態では、センサー１４ａは、フォトインタラプタであるものとしたが、センサー１４ａはフォトインタラプタに限定されない。例えば、センサー１４ａは機械式スイッチであってもよい。機械式スイッチは押圧式のスイッチであってもよい。このとき、可動部１８は、突出部１８ｂが連続紙Ｓに押された状態で、端部１８ａがスイッチを押すよう、その位置が調整されていてもよい。そして、センサー１４ａは、端部１８ａによってスイッチが押された場合にペーパーエンド非検知、端部１８ａによってスイッチが押されなくなった場合にペーパーエンド検知と判別してもよい。
【００４４】
また、上述の実施形態では、センサー１４ｂは、フォトインタラプタであるものとしたが、センサー１４ｂはフォトインタラプタに限定されない。例えば、センサー１４ｂは機械式スイッチであってもよい。機械式スイッチは押圧式のスイッチであってもよい。このとき、可動部１９は、突出部１９ｂが連続紙Ｓに押された状態で、端部１９ａがスイッチを押すよう、その位置が調整されていてもよい。そして、センサー１４ｂは、端部１９ａによってスイッチが押された場合にカバーオープン非検知、端部１９ａによってスイッチが押されなくなった場合にカバーオープン検知と判別してもよい。
【００４５】
また、上述の実施形態では、印刷部１５はサーマル方式のプリントユニットであるものとしたが、印刷部１５はサーマル方式のプリントユニットに限定されない。例えば、印刷部１５は、ドットインパクト方式、インクジェット方式、或いは電子写真方式のプリントユニットであってもよい。
【００４６】
また、上述の実施形態では、プリンタ１０は商品情報処理装置１に固定或いは内蔵されるものとしたが、プリンタ１０は商品情報処理装置１に外付できるよう構成されていてもよい。例えば、プリンタ１０はＵＳＢ（Universal Serial Bus）等の接続インタフェースを備え、ＵＳＢケーブル等の通信ケーブルで商品情報処理装置１に接続できるよう構成されていてもよい。
【００４７】
また、プリンタ１０は、ユーザインタフェースを備え、商品情報処理装置１から独立して単体動作できるよう構成されていてもよい。また、プリンタ１０は、パーソナルコンピュータに接続され、パーソナルコンピュータの指示に基づいて動作するよう構成されていてもよい。また、上述の実施形態では、プリンタ１０は出力部１３を備えるものとしたが、プリンタ１０は出力部１３を備えていなくてもよい。
【００４８】
また、上述の実施形態では、商品情報処理装置１は、ＰＯＳ端末であるものとしたが、商品情報処理装置１はＰＯＳ端末に限定されない。例えば、商品情報処理装置１は、ネットワーク接続機能を持たない単体動作型のキャッシュレジスターであってもよい。
【００４９】
また、上述の実施形態では、プリンタ１０はＰＯＳ端末或いは単体動作型のキャッシュレジスターに設置されるものとしたが、プリンタ１０が設置される装置はこれらに限定されない。例えば、プリンタ１０が設置される装置は、金融情報処理装置であってもよい。金融情報処理装置は、銀行のＡＴＭ（Automated Teller Machine）であってもよい。この場合、商品情報処理装置１は金融情報処理装置１と言い換えることができる。勿論、プリンタ１０が設置される装置は、商品情報処理装置および金融情報処理装置、以外の装置であってもよい。
【００５０】
また、上述の実施形態では、商品情報処理装置１或いは金融情報処理装置１は、プリンタ１０が固定或いは内蔵されるものとした。しかし、商品情報処理装置１或いは金融情報処理装置１は、プリンタ１０を介することなく、直接、連続紙Ｓに印刷できるよう構成されていてもよい。例えば、商品情報処理装置１或いは金融情報処理装置１は、制御部１１と、通信インタフェース１２と、出力部１３と、基板１４と、印刷部１５と、カット部１６と、検出機構１７と、を備えていてもよい。制御部１１は商品情報処理装置１或いは金融情報処理装置１の各部を制御する制御装置（例えば、プロセッサ）と共通であってもよい。商品情報処理装置１或いは金融情報処理装置１をプリンタ１０そのものとみなすことも可能である。
【００５１】
また、上述の実施形態では、プリンタ１０はレシートプリンタであるものとして説明したが、プリンタ１０はレシートプリンタに限定されない。例えば、プリンタ１０はラベルプリンタであってもよい。このとき、プリンタ１０に格納されるロール紙ＰＲ１は、ラベル台紙が巻き回された、ラベル用のロール紙であってもよい。ラベル台紙も連続紙の一種である。
【００５２】
なお、プリンタ１０は、ジャーナルプリンタ、ラベルプリンタ以外のプリンタであってもよい。例えば、プリンタ１０は、レシートや銀行のステートメントに印刷を行うプリンタであってもよいし、ジャーナル情報を印刷するジャーナルプリンタであってもよい。プリンタ１０が連続紙Ｓに印刷する情報は取引情報に限定されず、他の情報であってもよい。
【００５３】
また、連続紙Ｓは、ロール紙から取り出された用紙に限定されない。連続紙Ｓは、例えば、折り畳み連続紙であってもよい。
【００５４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【００５５】
上述の実施形態は以下の付記のようにも記載され得る。もちろん、上述の実施形態は、以下の付記のみに限定されるものではない。
【００５６】
（付記１）
ロール紙から取り出された用紙を搬送する搬送手段と、
前記用紙の終端の通過に連動して回転する可動部と、
前記可動部の回転軸と平行に配置された基板と、を備え、
前記基板には、前記可動部の端部を検出するセンサーが実装されている、
プリンタ。
【００５７】
（付記２）
前記センサーは、発光部と受光部とが対向配置されたフォトインタラプタであり、
前記可動部の端部は、前記可動部の回転の一状態で前記発光部と前記受光部との間に位置するよう構成されており、回転に伴って前記発光部と前記受光部との間から離れるよう構成されており、
前記センサーは、前記可動部の端部が前記発光部と前記受光部との間に位置しているか否かに基づいて、前記用紙の終端を検出する、
付記１に記載のプリンタ。
【００５８】
（付記３）
ロール紙ホルダーを覆うカバーと、
前記カバーのオープンに連動して回転する可動部と、
前記可動部の回転軸と平行に配置された基板と、を備え、
前記基板には、前記可動部の端部を検出するセンサーが実装されている、
プリンタ。
【００５９】
（付記４）
前記センサーは、発光部と受光部とが対向配置されたフォトインタラプタであり、
前記可動部の端部は、前記可動部の回転の一状態で前記発光部と前記受光部との間に位置するよう構成されており、回転に伴って前記発光部と前記受光部との間から離れるよう構成されており、
前記センサーは、前記可動部の端部が前記発光部と前記受光部との間に位置しているか否かに基づいて、前記カバーのオープンを検出する、
付記３に記載のプリンタ。
【００６０】
（付記５）
ロール紙ホルダーを覆うカバーと、
ロール紙から取り出された用紙を搬送する搬送部と、
前記用紙の終端の通過に連動して回転する第１の可動部と、
前記第１の可動部の回転軸と同一方向の回転軸を有し、前記カバーのオープンに連動して回転する第２の可動部と、
前記第１の可動部の回転軸及び前記第２の可動部の回転軸と平行に配置された基板と、を備え、
前記基板には、前記第１の可動部の端部を検出する第１のセンサーと、前記第２の可動部の端部を検出する第２のセンサーと、が実装されている、
プリンタ。
【００６１】
（付記６）
前記第１の可動部と前記第２の可動部は同じシャフトに回動可能に固定されている、
付記５に記載のプリンタ。
【００６２】
（付記７）
前記第１のセンサーは、第１の発光部と第１の受光部とが対向配置されたフォトインタラプタであり、
前記第２のセンサーは、第２の発光部と第２の受光部とが対向配置されたフォトインタラプタであり、
前記第１の可動部の端部は、前記第１の可動部の回転の一状態で前記第１の発光部と前記第１の受光部との間に位置するよう構成されており、回転に伴って前記第１の発光部と前記第１の受光部との間から離れるよう構成されており、
前記第２の可動部の端部は、前記第２の可動部の回転の一状態で前記第２の発光部と前記第２の受光部との間に位置するよう構成されており、回転に伴って前記第２の発光部と前記第２の受光部との間から離れるよう構成されており、
前記第１のセンサーは、前記第１の可動部の端部が前記第１の発光部と前記第１の受光部との間に位置しているか否かに基づいて、前記用紙の終端を検出し、
前記第２のセンサーは、前記第２の可動部の端部が前記第２の発光部と前記第２の受光部との間に位置しているか否かに基づいて、前記カバーのオープンを検出する、
付記５又は６に記載のプリンタ。
【００６３】
（付記８）
付記１乃至７のいずれか１つに記載のプリンタを備える、
商品情報処理装置。
【００６４】
（付記９）
付記１乃至７のいずれか１つに記載のプリンタを備える、
金融情報処理装置。
【符号の説明】
【００６５】
１…商品情報処理装置（金融情報処理装置）
１０…プリンタ
１１…制御部
１２…通信インタフェース
１３…出力部
１４…基板
１４ａ、１４ｂ…センサー
１４ａ１、１４ｂ１…発光部
１４ａ２、１４ｂ２…受光部
１５…印刷部
１５ａ…プリントヘッド
１５ｂ…ローラ
１６…カット部
１６ａ…固定刃
１６ｂ…可動刃
１６ｃ…可動刃スライド機構
１７…検出機構
１７ａ…シャフト
１８、１９…可動部
１８ａ、１９ａ…端部
１８ｂ、１９ｂ…突出部
２０…排出口
２１…カバー
２１ａ…突出部
１００…エンジンブロック
１０１、１０２、１０３…金属板
１０１ａ、１０２ａ…開口
１０４…フラットケーブル
ＰＲ…ロール紙
Ｓ…連続紙
【図１】
2018118397.tif 000003
【図２】
2018118397.tif 000004
【図３】
2018118397.tif 000005
【図４】
2018118397.tif 000006
【図５】
2018118397.tif 000007
【図６】
2018118397.tif 000008
【図７】
2018118397.tif 000009
【図８】
2018118397.tif 000010
【図９】
2018118397.tif 000011
【図１０】
2018118397.tif 000012